Podtech/llm-jp-corpus-v4-ja_patent huggingface dataset:
【手続補正書】
【提出日】平成23年6月15日(2011.6.15)
【手続補正１】
【補正対象書類名】明細書
【補正対象項目名】００３３
【補正方法】変更
【補正の内容】
【００３３】
図４に示すように、処理液Ｌ１に含まれるナノバブルＢはマイナスの電荷が帯電している。そのため、そのマイナスの電荷、つまりナノバブルＢの表面には静電誘導によってプラスの電荷が存在しており、その状態でナノバブルＢは静電気による平衡状態が維持されている。つまり、ナノバブルＢはマイナスの電荷とプラスの電荷との静電結合によって安定した状態にある。
【手続補正２】
【補正対象書類名】明細書
【補正対象項目名】００４９
【補正方法】変更
【補正の内容】
【００４９】
【図１】この発明の一実施の形態を示す処理装置の概略的構成図。
【図２】水平アームの先端に設けられる処理液供給ノズルと、一対の作動液供給ノズルを示す正面図。
【図３】一対の作動液供給ノズルに対する作動液の供給系統を示す配管図。
【図４】ナノバブルのマイナスの電荷にプラスの電荷が静電結合した状態を示す説明図。
【図５】基板に対して処理液供給ノズルによる処理液の供給と、作動液供給ノズルによる作動液の供給を説明するための図。
【手続補正３】
【補正対象書類名】図面
【補正対象項目名】図４
【補正方法】変更
【補正の内容】
【図４】
2009302406.tif 000001
【手続補正書】
【提出日】平成23年6月15日(2011.6.15)
【手続補正１】
【補正対象書類名】特許請求の範囲
【補正対象項目名】請求項１
【補正方法】変更
【補正の内容】
【請求項１】
第１の基板の表面に多孔質層を形成する工程と、
上記多孔質層の表面に非多孔質膜を形成する工程と、
上記第１の基板の非多孔質膜が形成された表面を第２の基板の表面に貼り合わせる工程と、
貼り合わされた第１の基板と第２の基板をナノバブルを含む処理液に浸漬する工程と、
上記処理液にエネルギを与えて上記ナノバブルを破裂させ、そのナノバブルの破裂によって生じるエネルギで上記多孔質層を分断させて上記第１の基板と第２の基板を分離する工程と、
分離された第２の基板の表面に残留する多孔質層を除去する工程と
を具備したことを特徴とするＳＯＩ基板の製造方法。
【手続補正２】
【補正対象書類名】特許請求の範囲
【補正対象項目名】請求項３
【補正方法】変更
【補正の内容】
【請求項３】
多孔質層に非多孔質膜が形成された第１の基板の表面を第２の基板に貼り合わせてから、上記多孔質層を分断して上記第１の基板と上記第２の基板を分離するＳＯＩ基板の製造装置であって、
ナノバブルを含んだ処理液が貯えられる処理槽と、
貼り合わされた上記第１の基板と第２の基板が上記処理液に浸漬するよう保持する保持手段と、
上記処理槽の処理液に含まれる上記ナノバブルを破裂させるエネルギを付与するエネルギ付与手段と
を具備したことを特徴とするＳＯＩ基板の製造装置。
【手続補正３】
【補正対象書類名】明細書
【補正対象項目名】０００２
【補正方法】変更
【補正の内容】
【０００２】
ＳＯＩ基板を製造する製造方法としては、Ｓｉ単結晶基板からなる第１の基板の表面に非多孔質膜としてのＳｉ酸化膜を成長させ、この第１の基板のＳｉ酸化膜を絶縁性基板からなる第２の基板に貼り合わせた後、上記Ｓｉ酸化膜を上記第１の基板から分離して、上記第２の基板の表面に設けてＳＯＩ基板を形成する、いわゆる貼り合わせ法が知られている。
【手続補正４】
【補正対象書類名】明細書
【補正対象項目名】００１０
【補正方法】変更
【補正の内容】
【００１０】
この発明は、第１の基板の表面に多孔質層を形成する工程と、
上記多孔質層の表面に非多孔質膜を形成する工程と、
上記第１の基板の非多孔質膜が形成された表面を第２の基板の表面に貼り合わせる工程と、
貼り合わされた第１の基板と第２の基板をナノバブルを含む処理液に浸漬する工程と、
上記処理液にエネルギを与えて上記ナノバブルを破裂させ、そのナノバブルの破裂によって生じるエネルギで上記多孔質層を分断させて上記第１の基板と第２の基板を分離する工程と、
分離された第２の基板の表面に残留する多孔質層を除去する工程と
を具備したことを特徴とするＳＯＩ基板の製造方法にある。
【手続補正５】
【補正対象書類名】明細書
【補正対象項目名】００１２
【補正方法】変更
【補正の内容】
【００１２】
この発明は、多孔質層に非多孔質膜が形成された第１の基板の表面を第２の基板に貼り合わせてから、上記多孔質層を分断して上記第１の基板と上記第２の基板を分離するＳＯＩ基板の製造装置であって、
ナノバブルを含んだ処理液が貯えられる処理槽と、
貼り合わされた上記第１の基板と第２の基板が上記処理液に浸漬するよう保持する保持手段と、
上記処理槽の処理液に含まれる上記ナノバブルを破裂させるエネルギを付与するエネルギ付与手段と
を具備したことを特徴とするＳＯＩ基板の製造装置にある。
【手続補正６】
【補正対象書類名】明細書
【補正対象項目名】００１５
【補正方法】変更
【補正の内容】
【００１５】
この発明によれば、貼り合わされた第１の基板と第２の基板をナノバブルを含む処理液に浸漬させてそのナノバブルを破裂させ、破裂時に生じるエネルギによって上記多孔質層を分断する。
【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
結晶性インゴットから薄円板状の半導体ウェーハを切り出すスライス工程と、
前記半導体ウェーハを、固定砥粒を有するパッドをそれぞれ具える１対の上下定盤間に挟み込み、前記半導体ウェーハの両面を同時に研削する固定砥粒研削工程と、
前記固定砥粒研削工程の前後に、前記半導体ウェーハの端面を研削または研磨により面取りする面取り工程と
を具えることを特徴とする半導体ウェーハの製造方法。
【請求項２】
前記固定砥粒研削工程は、前記半導体ウェーハを、互いに近接した位置関係で設けられた複数個の丸穴を有するキャリアの前記丸穴に嵌めこんだ後、固定砥粒を有するパッドをそれぞれ具える１対の上下定盤間に、前記キャリアを挟み込み、該キャリアを同一水平面内で揺動運動させながら、前記上下定盤を回転させて、前記半導体ウェーハの両面を同時に粗研削から仕上げ研削まで加工する工程であり、
前記面取り工程は、
前記固定砥粒研削工程の前に、切り出された前記半導体ウェーハの端面を、研削により面取りする第１面取り工程と、
前記固定砥粒研削工程の後に、研削された前記半導体ウェーハの端面を、研磨により仕上げ面取りする第２面取り工程と、を含み、
仕上げ面取りした前記半導体ウェーハの両面を同時に研磨する両面研磨工程をさらに具える請求項１に記載の半導体ウェーハの製造方法。
【請求項３】
前記半導体ウェーハは、直径が４５０ｍｍ以上の大口径シリコンウェーハである請求項１または２に記載の半導体ウェーハの製造方法。
【手続補正２】
【補正対象書類名】明細書
【補正対象項目名】００１１
【補正方法】変更
【補正の内容】
【００１１】
２．前記固定砥粒研削工程は、前記半導体ウェーハを、互いに近接した位置関係で設けられた複数個の丸穴を有するキャリアの前記丸穴に嵌めこんだ後、固定砥粒を有するパッドをそれぞれ具える１対の上下定盤間に、前記キャリアを挟み込み、該キャリアを同一水平面内で揺動運動させながら、前記上下定盤を回転させて、前記半導体ウェーハの両面を同時に粗研削から仕上げ研削まで加工する工程であり、
前記面取り工程は、
前記固定砥粒研削工程の前に、切り出された前記半導体ウェーハの端面を、研削により面取りする第１面取り工程と、
前記固定砥粒研削工程の後に、研削された前記半導体ウェーハの端面を、研磨により仕上げ面取りする第２面取り工程と、を含み、
仕上げ面取りした前記半導体ウェーハの両面を同時に研磨する両面研磨工程をさらに具える上記１に記載の半導体ウェーハの製造方法。
【手続補正３】
【補正対象書類名】明細書
【補正対象項目名】００１４
【補正方法】変更
【補正の内容】
【００１４】
次に、本発明の半導体ウェーハの製造方法を、図面を参照しながら詳細に説明する。図１は、本発明の実施形態を示す工程フロー図である。本発明の実施形態は、以下に示す６工程を（１）〜（６）の順番で行うものである。
（１）結晶性インゴットから薄円板状の半導体ウェーハを切り出すスライス工程
（２）切り出された前記半導体ウェーハの端面を、研削により面取りする第１面取り工程
（３）前記半導体ウェーハを、互いに近接した位置関係で設けられた複数個の丸穴を有するキャリアの前記丸穴に嵌めこんだ後、固定砥粒を有するパッドをそれぞれ有する１対の上下定盤間に、前記キャリアを挟み込み、該キャリアを同一水平面内で揺動運動させながら、前記上下定盤を回転させて、前記半導体ウェーハの両面を同時に粗研削から仕上げ研削まで一気に高速加工する固定砥粒研削工程
（４）研削された前記半導体ウェーハの端面を、研磨により仕上げ面取りする第２面取り工程
（５）仕上げ面取りした前記半導体ウェーハの両面を同時に研磨する両面研磨工程
（６）第２面取りした前記半導体ウェーハの一方の面を仕上げ研磨する片面仕上げ研磨工程
【手続補正書】
【提出日】平成23年6月13日(2011.6.13)
【手続補正１】
【補正対象書類名】特許請求の範囲
【補正対象項目名】全文
【補正方法】変更
【補正の内容】
【特許請求の範囲】
【請求項１】
第１の色材を含む第１のインクと、該第１の色材は含まずに第２の色材を含む第２のインクとを吐出可能な記録ヘッドを用いて記録媒体に画像を記録するための記録データの補正を行なう画像処理装置の画像処理方法であって、
前記第２のインクを用いずに前記第１のインクを用いて、テストパターンを記録するように前記記録ヘッドを制御する記録制御工程と、
前記テストパターンの測色結果に基づいて、前記記録データに含まれる複数のインクに対応した記録データのうち前記第２のインク用の記録データを補正する補正工程と
を備えることを特徴とする画像処理方法。
【請求項２】
前記補正工程において、前記第１のインク用の記録データは補正しない
ことを特徴とする請求項１に記載の画像処理方法。
【請求項３】
前記第１の色材は、ブラックの色材である
ことを特徴とする請求項１または２に記載の画像処理方法。
【請求項４】
前記第１のインクは、
ブラックの色材と、シアン・マゼンタの少なくとも一方の色材とを含むインクであり、
前記第２のインクは、
シアン・マゼンタの少なくとも一方の色材を含むインクである
ことを特徴とする請求項３に記載の画像処理方法。
【請求項５】
第１の色材を含む第１のインクと、該第１の色材は含まずに第２の色材を含む第２のインクとを吐出可能な記録ヘッドを用いて記録媒体に画像を記録するための記録データに対して補正を行なう画像処理装置であって、
前記第２のインクを用いずに前記第１のインクを用いて、テストパターンを記録するように前記記録ヘッドを制御する記録制御手段と、
前記テストパターンの測色結果に基づいて、前記記録データに含まれる複数のインクに対応した記録データのうち前記第２のインク用の記録データを補正する補正手段と
を備えることを特徴とする画像処理装置。
【請求項６】
前記テストパターンを測色するための測色手段
を更に備えることを特徴とする請求項５に記載の画像処理装置。
【請求項７】
前記測色手段は、分光反射特性を取得可能である
ことを特徴とする請求項６に記載の画像処理装置。
【手続補正２】
【補正対象書類名】明細書
【補正対象項目名】発明の名称
【補正方法】変更
【補正の内容】
【発明の名称】画像処理方法及び画像処理装置
【手続補正３】
【補正対象書類名】明細書
【補正対象項目名】０００６
【補正方法】変更
【補正の内容】
【０００６】
そこで、本発明は上記問題点に鑑みてなされたものであり、調色記録材生成時の配合のずれによって生じる印刷物の色味のばらつきを抑えるようにした技術を提供することを目的とする。
【手続補正４】
【補正対象書類名】明細書
【補正対象項目名】０００７
【補正方法】変更
【補正の内容】
【０００７】
上記目的を達成するため、本発明の一態様は、第１の色材を含む第１のインクと、該第１の色材は含まずに第２の色材を含む第２のインクとを吐出可能な記録ヘッドを用いて記録媒体に画像を記録するための記録データの補正を行なう画像処理装置の画像処理方法であって、前記第２のインクを用いずに前記第１のインクを用いて、テストパターンを記録するように前記記録ヘッドを制御する記録制御工程と、前記テストパターンの測色結果に基づいて、前記記録データに含まれる複数のインクに対応した記録データのうち前記第２のインク用の記録データを補正する補正工程とを備えることを特徴とする画像処理方法。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
少なくとも第１の伝送フレーム信号と第２の伝送フレーム信号とを含む複数の伝送フレーム信号を周波数領域で連結した連結フレーム信号をＯＦＤＭ（直交周波数分割多重）変調してＯＦＤＭ信号を生成するＯＦＤＭ信号生成方法であって、
複数のキャリアで構成され、第１のＰＲＢＳ（擬似ランダム符号系列）の値に応じて前記キャリア毎に決定された位相でＢＰＳＫ変調されたパイロット信号を含む前記第１の伝送フレーム信号を生成し、
複数のキャリアで構成され、第２のＰＲＢＳの値に応じて前記キャリア毎に決定された位相でＢＰＳＫ変調されたパイロット信号を含み、前記第１の伝送フレーム信号に隣接して配置される前記第２の伝送フレーム信号を生成し、
前記第２の伝送フレームを構成するキャリアのうち前記第１の伝送フレームに隣接する隣接キャリアに対応する第２のＰＲＢＳの第２の値と、前記隣接キャリアの位置に対応する第１のＰＲＢＳの第１の値とを比較し、
前記第１の値と前記第２の値とが一致しない場合に、前記第１の伝送フレーム信号及び前記第２の伝送フレーム信号のうち少なくとも一方の位相を補正して、前記パイロット信号の位相の不整合を補正し、
位相補正後の前記複数の伝送フレーム信号を連結して前記連結フレーム信号を生成し、
前記連結フレーム信号にＯＦＤＭ変調を施してＯＦＤＭ信号を生成する、ＯＦＤＭ信号生成方法。
【請求項２】
前記連結フレーム信号に隣接するキャリアに、前記不整合検出部の判定結果に応じて位相の補正が行われたパイロット信号をさらに配置する、請求項１記載のＯＦＤＭ信号生成方法。
【請求項３】
前記複数の伝送フレーム信号のそれぞれは、連結されない場合は、それぞれに隣接するキャリアにパイロット信号を配置して構成される信号である、請求項１記載のＯＦＤＭ信号生成方法。
【請求項４】
前記第１の伝送フレーム信号と隣接する前記第２の伝送フレーム信号のＯＦＤＭセグメントのキャリア番号０のキャリアには、前記パイロット信号としてコンティニュアルパイロット（ＣＰ）またはスキャッタードパイロット（ＳＰ）が配置されている請求項１記載のＯＦＤＭ信号生成方法。
【請求項５】
少なくとも第１の伝送フレーム信号と第２の伝送フレーム信号とを含む複数の伝送フレーム信号を周波数領域で連結した連結フレーム信号をＯＦＤＭ（直交周波数分割多重）変調してＯＦＤＭ信号を生成するＯＦＤＭ信号生成装置であって、
複数のキャリアで構成され、第１のＰＲＢＳ（擬似ランダム符号系列）の値に応じて前記キャリア毎に決定された位相でＢＰＳＫ変調されたパイロット信号を含む前記第１の伝送フレーム信号を生成する第１のフレーム生成部と、
複数のキャリアで構成され、第２のＰＲＢＳの値に応じて前記キャリア毎に決定された位相でＢＰＳＫ変調されたパイロット信号を含み、前記第１の伝送フレーム信号に隣接して配置される前記第２の伝送フレーム信号を生成する第２のフレーム生成部と、
前記第２の伝送フレームを構成するキャリアのうち前記第１の伝送フレームに隣接する隣接キャリアに対応する第２のＰＲＢＳの第２の値と、前記隣接キャリアの位置に対応する第１のＰＲＢＳの第１の値とを比較する不整合検出部と、
前記不整合検出部の比較結果に従って、前記第１の値と前記第２の値とが一致しない場合に、前記第１の伝送フレーム信号及び前記第２の伝送フレーム信号のうち少なくとも一方の位相を補正して、前記パイロット信号の位相の不整合を補正する位相補正部と、
位相補正後の前記複数の伝送フレーム信号を連結して前記連結フレーム信号を生成する多重部と、
前記連結フレーム信号にＯＦＤＭ変調を施してＯＦＤＭ信号を生成するＯＦＤＭ変調部とを備える、ＯＦＤＭ信号生成装置。
【請求項６】
少なくとも第１の伝送フレーム信号と第２の伝送フレーム信号とを含む複数の伝送フレーム信号を周波数領域で連結した連結フレーム信号をＯＦＤＭ（直交周波数分割多重）変調して生成されたＯＦＤＭ信号を受信するＯＦＤＭ信号受信方法であって、
前記第１の伝送フレーム信号は、複数のキャリアで構成され、第１のＰＲＢＳ（擬似ランダム符号系列）の値に応じて前記キャリア毎に決定された位相でＢＰＳＫ変調されたパイロット信号を含み、
前記第２の伝送フレーム信号は、複数のキャリアで構成され、第２のＰＲＢＳ（擬似ランダム符号系列）の値に応じて前記キャリア毎に決定された位相でＢＰＳＫ変調されたパイロット信号を含み、
前記第２の伝送フレームを構成するキャリアのうち前記第１の伝送フレームに隣接する隣接キャリアに対応する第２のＰＲＢＳの第２の値と、前記隣接キャリアの位置に対応する第１のＰＲＢＳの第１の値とが一致しない場合に、前記第１の伝送フレーム信号及び前記第２の伝送フレーム信号のうち少なくとも一方は、前記パイロット信号の位相の不整合を補正するために位相が補正されており、
前記第１の伝送フレーム信号を受信する場合に、前記第２の伝送フレームに含まれる前記隣接キャリアを用いた復調を行う、ＯＦＤＭ信号受信方法。
【請求項７】
ＯＦＤＭ信号受信装置であって、
少なくとも第１の伝送フレーム信号と第２の伝送フレーム信号とを含む複数の伝送フレーム信号を周波数領域で連結した連結フレーム信号をＯＦＤＭ（直交周波数分割多重）変調して生成されたＯＦＤＭ信号を受信し、前記第１の伝送フレーム信号は、複数のキャリアで構成され、第１のＰＲＢＳ（擬似ランダム符号系列）の値に応じて前記キャリア毎に決定された位相でＢＰＳＫ変調されたパイロット信号を含み、前記第２の伝送フレーム信号は、複数のキャリアで構成され、第２のＰＲＢＳ（擬似ランダム符号系列）の値に応じて前記キャリア毎に決定された位相でＢＰＳＫ変調されたパイロット信号を含み、前記第２の伝送フレームを構成するキャリアのうち前記第１の伝送フレームに隣接する隣接キャリアに対応する第２のＰＲＢＳの第２の値と、前記隣接キャリアの位置に対応する第１のＰＲＢＳの第１の値とが一致しない場合に、前記第１の伝送フレーム信号及び前記第２の伝送フレーム信号のうち少なくとも一方は、前記パイロット信号の位相の不整合を補正するために位相が補正されている、受信部と、
前記第１の伝送フレーム信号を受信する場合に、前記第２の伝送フレームに含まれる前記隣接キャリアを用いた復調を行う復調部とを備える、ＯＦＤＭ信号受信装置。
【手続補正２】
【補正対象書類名】明細書
【補正対象項目名】０００７
【補正方法】変更
【補正の内容】
【０００７】
ＯＦＤＭセグメント外で伝送されるＣＰは、該ＣＰが連接するＯＦＤＭセグメントにおいてＰＲＢＳ生成回路によって生成されるＰＲＢＳを連続的に生成した値に従ってＢＰＳＫ変調される。
ＰＲＢＳ生成回路の初期値は、ＩＳＤＢ−Ｔ方式では連続する１３個のＯＦＤＭセグメントで規定されており、ＩＳＤＢ−ＴＳＢ方式では連続する１４個のＯＦＤＭセグメントで規定されている。
【非特許文献１】ＡＲＩＢ標準規格  ＡＲＩＢ  ＳＴＤ−Ｂ３１  １．７版
【非特許文献２】ＡＲＩＢ標準規格  ＡＲＩＢ  ＳＴＤ−Ｂ２９  ２．２版
【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
１画素を予め設定された整数値で分割した補助画素に対応する補助画素データを生成する補助画素生成手段と、前記１画素に対応する複数の補助画素データに対して前記補助画素データを追加もしくは削除した画素データに基づいて、レーザ光の発光パターン信号を生成する発光パターン生成手段とを有する光走査装置において、
画像クロックに従って前記発光パターン生成手段から出力される発光パターン信号の周期を変更するために、１画素に対応する複数の補助画素データに対して前記補助画素データの追加もしくは削除を所定の走査期間において部分的に行う手段を備えたことを特徴とする光走査装置。
【請求項２】
前記補助画素データの追加と削除は交互に行うことを特徴とする請求項１に記載の光走査装置。
【請求項３】
前記所定の走査期間において前記補助画素データの追加と削除をそれぞれ等しい数で行い、画像データの倍率に応じて、さらに前記補助画素データの追加もしくは削除を行うことを特徴とする請求項１または２に記載の光走査装置。
【請求項４】
所定数の画素で構成されるブロックの中で、前記補助画素データの追加と削除をそれぞれ等しい数で行い、前記ブロック間の倍率に応じてさらに前記補助画素データの追加もしくは削除を行うことを特徴とする請求項１または２に記載の光走査装置。
【請求項５】
前記補助画素データの追加と削除は、走査ライン毎に異なる位置で行うことを特徴とする請求項１乃至４のいずれか１項に記載の光走査装置。
【請求項６】
前記補助画素データの追加と削除は、走査ライン毎に同じ位置で行うことを特徴とする請求項１乃至４のいずれか１項に記載の光走査装置。
【請求項７】
前記発光パターン信号がオンデータのときに前記補助画素データの追加と削除を行うことを特徴とする請求項１乃至６のいずれか１項に記載の光走査装置。
【請求項８】
前記発光パターンがオフデータのときに前記補助画素データの追加と削除を行うことを特徴とする請求項１乃至６のいずれか１項に記載の光走査装置。
【請求項９】
１画素を予め設定された整数値で分割した補助画素に対応する補助画素データを生成する補助画素生成手段と、前記１画素に対応する複数の補助画素データに対して前記補助画素データを追加もしくは削除した画素データに基づいてレーザ光の発光パターン信号を生成する発光パターン生成手段と、前記発光パターン信号に基づいてレーザ発光手段を駆動するレーザ駆動手段と、前記レーザ発光手段から照射されたレーザ光によって潜像を形成する像担持体とを有する画像形成装置において、
画像クロックに従って前記発光パターン生成手段から出力される発光パターン信号の周期を変更するために、１画素に対応する複数の補助画素データに対して前記補助画素データの追加もしくは削除を所定の走査期間において部分的に行う手段を備えたことを特徴とする画像形成装置。
【請求項１０】
前記画像データは、複数の色にそれぞれ対応した画像データであって、前記像担持体は、複数の色毎に潜像を形成する構成とし、
前記補助画素データの追加と削除は、各色毎の画像データにおける同じ位置で行うことを特徴とする請求項９に記載の画像形成装置。
【請求項１１】
１画素を予め設定された整数値で分割した補助画素に対応する補助画素データを生成する補助画素生成手段と、前記１画素に対応する複数の補助画素データに対して前記補助画素データを追加もしくは削除した画素データに基づいてレーザ光の発光パターン信号を生成する発光パターン生成手段とを有する光走査装置の制御方法であって、
画像クロックに従って前記発光パターン生成手段から出力される発光パターン信号の周期を変更するために、１画素に対応する複数の補助画素データに対して前記補助画素データの追加もしくは削除を所定の走査期間において部分的に行うことを特徴とする光走査装置の制御方法。
【請求項１２】
１画素を予め設定された整数値で分割した補助画素に対応する補助画素データを生成する補助画素生成手段と、前記１画素に対応する複数の補助画素データに対して前記補助画素データを追加もしくは削除した画素データに基づいてレーザ光の発光パターン信号を生成する発光パターン生成手段とを有する光走査装置の制御方法を実現するための、コンピュータで読み取り可能なプログラムであって、
画像クロックに従って前記発光パターン生成手段から出力される発光パターン信号の周期を変更するために、１画素に対応する複数の補助画素データに対して前記補助画素データの追加もしくは削除を所定の走査期間において部分的に行うステップを備えたことを特徴とするプログラム。
【手続補正２】
【補正対象書類名】明細書
【補正対象項目名】００４５
【補正方法】変更
【補正の内容】
【００４５】
図６（ａ）は、画素片が挿入されていない場合であり、５〜８に格納されていたデータＤ１（３〜０）が１〜４にシフトし、新たに変換回路４４から出力されたデータＤ２が５〜８に格納されたところを示している。
【手続補正書】
【提出日】平成22年11月17日(2010.11.17)
【手続補正１】
【補正対象書類名】特許請求の範囲
【補正対象項目名】全文
【補正方法】変更
【補正の内容】
【特許請求の範囲】
【請求項１】
シートを積載するシート積載トレイと、
前記シート積載トレイのシート積載面に対向して配置され、前記シート積載トレイに積載されたシートあるいはシート束を挟持して搬送することにより折り畳む折りローラ対と、
前記シート積載トレイに積載されたシートあるいはシート束を前記折りローラ対の圧接部に向けて突き押しする突き押し部材と、
前記折りローラ対と前記シート積載トレイの間に、前記シート積載トレイのシート積載面に対向して配置された規制部材と、
を備えたシート処理装置において、
前記規制部材は、前記突き押し部材の突き押し経路を遮り、前記シート積載トレイに積載されるシートを案内する遮蔽位置と、前記突き押し部材の突き押し経路を開放する開放位置と、に移動し、前記開放位置において前記折りローラ対のうち少なくとも一方の折りローラに当接することを特徴とするシート処理装置。
【請求項２】
前記規制部材は、前記折りローラに当接する回転部材を有することを特徴とする請求項１に記載のシート処理装置。
【請求項３】
前記折りローラは、その周面の回転方向に凹部が形成され、前記回転部材は前記凹部に当接して回転することを特徴とする請求項２に記載のシート処理装置。
【請求項４】
シートに画像を形成する画像形成部と、前記画像形成されたシートを処理する請求項１〜３のいずれか１項に記載のシート処理装置を具備したことを特徴とする画像形成装置。
【手続補正２】
【補正対象書類名】明細書
【補正対象項目名】０００９
【補正方法】変更
【補正の内容】
【０００９】
前記目的を達成するため、本発明に係る代表的なシート処理装置の構成は、シートを積載するシート積載トレイと、前記シート積載トレイのシート積載面に対向して配置され、前記シート積載トレイに積載されたシートあるいはシート束を挟持して搬送することにより折り畳む折りローラ対と、前記シート積載トレイに積載されたシートあるいはシート束を前記折りローラ対の圧接部に向けて突き押しする突き押し部材と、前記折りローラ対と前記シート積載トレイの間に、前記シート積載トレイのシート積載面に対向して配置された規制部材と、を備えたシート処理装置において、前記規制部材は、前記突き押し部材の突き押し経路を遮り、前記シート積載トレイに積載されるシートを案内する遮蔽位置と、前記突き押し部材の突き押し経路を開放する開放位置と、に移動し、前記開放位置において前記折りローラ対のうち少なくとも一方の折りローラに当接することを特徴とする。
【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
シートに腰付けしてシートを搬送可能な第１搬送手段と、
前記第１搬送手段のシート搬送方向の下流側に配設され、前記第１搬送手段により搬送されたシートを搬送する第２搬送手段と、を備え、
前記第２搬送手段は、互いに対向する一対の回転体を有し、前記一対の回転体は、シートを挟持して搬送する閉位置と、離間してシートを挟持しない開位置と、に変更自在に構成され、
前記第１搬送手段により搬送されたシートのシート搬送方向下流端が前記開位置にある前記一対の回転体の間に進入した後、前記一対の回転体を前記閉位置にする開閉制御を行うことを特徴とするシート搬送装置。
【請求項２】
前記一対の回転体は、シートのシート搬送方向上流端が前記第１搬送手段から離れる前に前記閉位置に移動することを特徴とする請求項１に記載のシート搬送装置。
【請求項３】
シート情報に応じて、前記開閉制御、及び前記一対の回転体を前記閉位置のままシートを前記一対の回転体に導く常閉制御のいずれか一方を選択して実行することを特徴とする請求項１又は２に記載のシート搬送装置。
【請求項４】
前記第１搬送手段が、シートを搬送するシート搬送経路に突出してシートに腰を付ける突出位置と、前記シート搬送経路から退避する退避位置とに移動自在に構成される腰付部を有し、
前記常閉制御を実行する際には、前記腰付部を前記退避位置に移動することを特徴とする請求項３に記載のシート搬送装置。
【請求項５】
前記開閉制御を実行する際に、シート情報に応じて、前記閉位置となるタイミング及び前記開位置における前記一対の回転体の開放量の少なくとも１つが変更されることを特徴とする請求項１乃至４のいずれか１項に記載のシート搬送装置。
【請求項６】
前記第２搬送手段は、シートに腰付けしてシートを搬送可能であることを特徴とする請求項１乃至５のいずれか１項に記載のシート搬送装置。
【請求項７】
前記第２搬送手段のシート搬送方向の下流側に配設され、前記第２搬送手段により搬送されたシートを積載する積載トレイを備えたことを特徴とする請求項１乃至６のいずれか１項に記載のシート搬送装置。
【請求項８】
請求項１乃至７のいずれか１項に記載のシート搬送装置と、前記第１搬送手段と前記第２搬送手段との間に配置され、前記第１搬送手段を通過したシートを積載可能なシート積載手段と、前記シート積載手段に積載されたシートに処理を施す処理手段と、を備え、
前記一対の回転体を開位置にして前記第１搬送手段を通過したシートを前記シート積載手段に積載した後、前記処理手段により処理を施し、前記一対の回転体を閉位置にして前記一対の回転体により搬送する処理モードと、前記第１搬送手段を通過したシートを、直接、前記一対の回転体に導き、前記一対の回転体により搬送する非処理モードと、のいずれかのモードを実行し、
前記非処理モードの実行時に、前記開閉制御を選択的に実行することを特徴とするシート処理装置。
【請求項９】
シートに画像を形成する画像形成部と、前記画像形成部により画像が形成されたシートを処理する請求項８に記載のシート処理装置と、を備えたことを特徴とする画像形成装置。
【請求項１０】
シートに画像を形成する画像形成部と、前記画像形成部により画像が形成されたシートを搬送する請求項１乃至７のいずれか１項に記載のシート搬送装置とを備えたことを特徴とする画像形成装置。
【手続補正２】
【補正対象書類名】明細書
【補正対象項目名】０００１
【補正方法】変更
【補正の内容】
【０００１】
本発明は、シートの一部を押圧してシートに腰付けしてシートを搬送可能な第１搬送手段を備えたシート搬送装置、及びこのシート搬送装置を備えたシート処理装置、画像形成装置に関する。
【手続補正３】
【補正対象書類名】明細書
【補正対象項目名】００１７
【補正方法】変更
【補正の内容】
【００１７】
本発明は、シートに腰付けしてシートを搬送可能な第１搬送手段と、前記第１搬送手段のシート搬送方向の下流側に配設され、前記第１搬送手段により搬送されたシートを搬送する第２搬送手段と、を備え、前記第２搬送手段は、互いに対向する一対の回転体を有し、前記一対の回転体は、シートを挟持して搬送する閉位置と、離間してシートを挟持しない開位置と、に変更自在に構成され、前記第１搬送手段により搬送されたシートのシート搬送方向下流端が前記開位置にある前記一対の回転体の間に進入した後、前記一対の回転体を前記閉位置にする開閉制御を行うことを特徴とするものである。
【手続補正４】
【補正対象書類名】明細書
【補正対象項目名】００１８
【補正方法】変更
【補正の内容】
【００１８】
本発明によれば、シートが第１搬送手段を通過して第２搬送手段より排出されるまでの時間を短縮することができる。そして、第２搬送手段の一対の回転体が開位置となり、シートが一対の回転体の間に進入した後に一対の回転体が閉位置となるので、一対の回転体によるシートの皺の発生を抑制することができ、皺の発生に起因する搬送時の稼動音の増加を抑制することができる。また、第２搬送手段から排出されたシートの挙動が安定し、シートの積載性を向上させることができる。
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
シートを積載するシート積載部と、
シートを排出するシート排出手段と、
前記シート排出手段から排出されたシートを前記シート積載部に移送する移送手段と、を備え、
排出されるシートの排出方向の長さが所定長さ以下の場合には前記シート排出手段によりシートを前記シート積載部に排出し、排出されるシートの排出方向の長さが所定長さ以上の場合には前記シート排出手段から排出されたシートを前記移送手段により前記シート積載部に移送することを特徴とするシート積載装置。
【請求項２】
前記移送手段により移送されたシート及び前記シート排出手段により排出されたシートの一方と突き当たる突当て部を前記シート積載部に沿って移動可能に設け、
前記突当て部を、前記移送手段により移送されるシートの排出方向の長さ及び前記シート排出手段により排出されるシートの排出方向の長さに応じた位置に移動させることを特徴とする請求項１記載のシート積載装置。
【請求項３】
シートの排出方向の長さ情報を入力する入力手段を設け、
前記入力手段からの情報に基づいて前記突当て部を前記移送手段により移送されるシートの排出方向の長さ及び前記シート排出手段により排出されるシートの排出方向の長さに応じた位置のいずれか一方に移動させることを特徴とする請求項２記載のシート積載装置。
【請求項４】
前記突当て部にシートを突き当てる引込み手段を有し、前記引込み手段と前記シート排出手段の距離は、排出されるシートの排出方向の長さより短いことを特徴とする請求項１ないし３のいずれか１項に記載のシート積載装置。
【請求項５】
前記移送手段は、移送するシートを保持する複数の保持手段を備えたことを特徴とする請求項１ないし４のいずれか１項に記載のシート積載装置。
【請求項６】
前記シート排出手段によりシートを排出する際には、前記複数の保持手段を排出するシートと当接しない位置に移動させることを特徴とする請求項５記載のシート積載装置。
【請求項７】
前記移送手段の前記保持手段はシートの移送方向下流端部を挟持するグリッパ部材であることを特徴とする請求項５又は６記載のシート積載装置。
【請求項８】
前記移送手段の前記保持手段は静電気によりシートを吸着する構成のものであることを特徴とする請求項５又は６記載のシート積載装置。
【請求項９】
前記移送手段の前記保持手段はエアによりシートを吸着する構成のものであることを特徴とする請求項５又は６記載のシート積載装置。
【請求項１０】
シートを積載するシート積載部と、
シートを排出するシート排出手段と、
前記シート排出手段から排出されたシートを前記シート積載部に移送する移送手段と、を備え、
排出されるシートの排出方向の長さが所定長さ以下でシートの剛性が所定の剛性よりも大きい場合には前記シート排出手段によりシートを前記シート積載部に排出し、排出されるシートの排出方向の長さが所定長さ以上の場合、又は排出されるシートの排出方向の長さが所定長さ以下でシートの剛性が所定の剛性よりも小さい場合には、前記シート排出手段から排出されたシートを前記移送手段により前記シート積載部に移送することを特徴とするシート積載装置。
【請求項１１】
前記移送手段により移送されたシート及び前記シート排出手段により排出されたシートの一方と突き当たる突当て部を前記シート積載部に沿って移動可能に設け、
前記突当て部を、前記移送手段により移送されるシートの排出方向の長さ及び前記シート排出手段により排出されるシートの排出方向の長さに応じた位置に移動させることを特徴とする請求項１０記載のシート積載装置。
【請求項１２】
シートに画像を形成する画像形成部と、画像形成されたシートを積載する請求項１ないし１１のいずれか１項に記載のシート積載装置とを備えたことを特徴とする画像形成装置。
【手続補正２】
【補正対象書類名】明細書
【補正対象項目名】００１８
【補正方法】変更
【補正の内容】
【００１８】
本発明は、シートを積載するシート積載部と、シートを排出するシート排出手段と、前記シート排出手段から排出されたシートを前記シート積載部に移送する移送手段と、を備え、排出されるシートの排出方向の長さが所定長さ以下の場合には前記シート排出手段によりシートを前記シート積載部に排出し、排出されるシートの排出方向の長さが所定長さ以上の場合には前記シート排出手段から排出されたシートを前記移送手段により前記シート積載部に移送することを特徴とするものである。
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
シートを搬送する、接離可能な搬送回転体対と、
前記搬送回転体対を構成する一方の回転体を、他方の回転体と当接する第１位置に移動させる移動手段と、
前記移動手段を駆動する駆動手段と、
前記駆動手段による前記移動手段の駆動が停止された場合には、前記移動手段により前記第１位置に移動した前記一方の回転体を、前記他方の回転体と離間した第２位置に退避させる退避手段と、を備えたことを特徴とするシート搬送装置。
【請求項２】
前記退避手段は、前記一方の回転体を前記第１位置から前記第２位置の方向に付勢する付勢手段であり、前記移動手段の駆動が停止された場合、前記一方の回転体は前記付勢手段により前記第２位置に移動することを特徴とする請求項１記載のシート搬送装置。
【請求項３】
前記退避手段は、前記一方の回転体を手動により前記第２位置に退避させるものであることを特徴とする請求項１記載のシート搬送装置。
【請求項４】
請求項１ないし３のいずれか１項に記載のシート搬送装置と、
前記搬送回転体対にシートを搬送するシート搬送手段と、
シート搬送方向に並設され、シートを積載するシート積載部と、を備え、
前記搬送回転体対は、前記シート搬送手段から搬送されたシートを前記シート積載部に排出することを特徴とするシート積載装置。
【請求項５】
前記シート搬送手段により前記搬送回転体対に搬送されるシートが通過するシート搬送路を形成するフィルム状の通路部材を引き出し可能に備え、
前記一方の回転体は、前記第１位置と前記第２位置との間をシート搬送方向に沿って移動可能であり、前記一方の回転体が前記第１位置に移動する際、前記一方の回転体の移動と共に前記通路部材を引き出して前記シート搬送路を形成することを特徴とする請求項４記載のシート積載装置。
【請求項６】
シートの位置を検知するシート検知部を備え、
前記第２位置は前記シート検知部のシート検知範囲外の位置であることを特徴とする請求項４又は５記載のシート積載装置。
【請求項７】
シートに画像を形成する画像形成部と、画像形成されたシートを積載する請求項４ないし６のいずれか１項に記載のシート積載装置とを備えたことを特徴とする画像形成装置。
【手続補正２】
【補正対象書類名】明細書
【補正対象項目名】００１７
【補正方法】変更
【補正の内容】
【００１７】
本発明は、シートを搬送する、接離可能な搬送回転体対と、前記搬送回転体対を構成する一方の回転体を、他方の回転体と当接する第１位置に移動させる移動手段と、前記移動手段を駆動する駆動手段と、前記駆動手段による前記移動手段の駆動が停止された場合には、前記移動手段により前記第１位置に移動した前記一方の回転体を、前記他方の回転体と離間した第２位置に退避させる退避手段と、を備えたことを特徴とするものである。
【手続補正３】
【補正対象書類名】明細書
【補正対象項目名】００４１
【補正方法】変更
【補正の内容】
【００４１】
さらに、スタッカ１００は、ソレノイド１３７（図２参照）により駆動され、スタッカ内に搬送されたシートＳを、他のシート積載部であるトップトレイ１０６又はスタック部１００Ｃに向かわせる第１切換え部材１０３を備えている。なお、図３において、１０８は第２切換え部材であり、シート排出先が下流の不図示のシート処理装置（スタッカ装置）の場合は、ソレノイド１３７により駆動され、実線で示す位置に移動する。
【手続補正４】
【補正対象書類名】明細書
【補正対象項目名】００７５
【補正方法】変更
【補正の内容】
【００７５】
次に、駆動手段としての延長コロ駆動手段１２８により、リールフィルム１２３を不図示の収納部から引き出しながら延長コロ１２２ａ，１２２ｂが図中左方向に移動し、これによりシート搬送パスが延長される。なお、このシート搬送パスは、第２スタッカトレイ１１２ｂに安定してシートが排出される位置、即ち、延長コロ１２２ａと第１スタッカトレイ１１２ａ、及び延長コロ１２２ａと第２スタッカトレイ１１２ｂとの位置関係が略同一となる位置まで延長される。これらの動作が完了し、図７の状態になると第２スタッカトレイ１１２ｂにシートを積載する準備が完了する。
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
シートを排出するシート排出手段と、
前記シート排出手段から排出されたシートが積載されるシート積載手段と、を備え、
前記シート排出手段は、シート排出方向に沿って配設されて循環する排出ベルトと、前記排出ベルトに沿って移動可能な移動回転体と、を有し、前記排出ベルトと前記移動回転体とでシートを挟んで排出する、
ことを特徴とするシート積載装置。
【請求項２】
シートを排出するシート排出手段と、
前記シート排出手段から排出されたシートが積載されるシート積載手段と、を備え、
前記シート排出手段は、シート排出方向に沿って複数配設された排出回転体と、前記複数の排出回転体のうちいずれかの排出回転体の位置に移動可能な移動回転体と、を有し、前記移動回転体が移動した位置の排出回転体と前記移動回転体とでシートを挟んで排出する、
ことを特徴とするシート積載装置。
【請求項３】
前記複数の排出回転体のうち、少なくとも１つは排出ベルトであり、前記移動回転体は、前記排出ベルトに沿って移動可能である、
ことを特徴とする請求項２に記載のシート積載装置。
【請求項４】
前記移動回転体の移動にともなって、引き出し・引き戻し自在な帯状体を、前記移動回転体のシート排出方向の上流に備え、前記帯状体は引き出されたとき前記シート排出手段により排出されるシートを支持する、
ことを特徴とする請求項１乃至３のいずれか１項に記載のシート積載装置。
【請求項５】
前記シート排出手段のシート排出方向の下流に設けられ、前記シート排出方向に移動可能で、かつ前記シート排出手段から排出されたシートの先端を受け止めるストッパを備えた、
ことを特徴とする請求項１乃至４のいずれか１項に記載のシート積載装置。
【請求項６】
前記移動回転体が従動側である、
ことを特徴とする請求項１乃至５のいずれか１項に記載のシート積載装置。
【請求項７】
前記シート積載手段は、前記シート排出方向に複数並設されている、
ことを特徴とする請求項１乃至６のいずれか１項に記載のシート積載装置。
【請求項８】
シートに画像を形成する画像形成部と、
前記画像形成部によって画像を形成されたシートが積載される請求項１乃至７のいずれか１項に記載のシート積載装置と、を備えた、
ことを特徴とする画像形成装置。
【手続補正２】
【補正対象書類名】明細書
【補正対象項目名】０００９
【補正方法】変更
【補正の内容】
【０００９】
本発明のシート積載装置は、シートを排出するシート排出手段と、前記シート排出手段から排出されたシートが積載されるシート積載手段と、を備え、前記シート排出手段は、シート排出方向に沿って配設されて循環する排出ベルトと、前記排出ベルトに沿って移動可能な移動回転体と、を有し、前記排出ベルトと前記移動回転体とでシートを挟んで排出する、ようになっている。
【手続補正３】
【補正対象書類名】明細書
【補正対象項目名】００１０
【補正方法】変更
【補正の内容】
【００１０】
本発明のシート積載装置は、シートを排出するシート排出手段と、前記シート排出手段から排出されたシートが積載されるシート積載手段と、を備え、前記シート排出手段は、シート排出方向に沿って複数配設された排出回転体と、前記複数の排出回転体のうちいずれかの排出回転体の位置に移動可能な移動回転体と、を有し、前記移動回転体が移動した位置の排出回転体と前記移動回転体とでシートを挟んで排出する、ようになっている。
本発明の画像形成装置は、シートに画像を形成する画像形成部と、 前記画像形成部によって画像を形成されたシートが積載される上記いずれかのシート積載装置と、を備えた、ことを特徴としている。
【手続補正４】
【補正対象書類名】明細書
【補正対象項目名】００１１
【補正方法】削除
【補正の内容】
【手続補正５】
【補正対象書類名】明細書
【補正対象項目名】００５８
【補正方法】変更
【補正の内容】
【００５８】
スタッカトレイ１１２ｂ上に積載されたシートは、スタッカトレイ１１２ａに積載したときと同様にして満載を検知されて、ドリー１２０の１対の突条１２０ｂ，１２０ｂ上に載置されて固定される。
【手続補正６】
【補正対象書類名】明細書
【補正対象項目名】００６２
【補正方法】変更
【補正の内容】
【００６２】
シート情報が、シートＳ１を左のスタッカトレイ１１２ｂに積載して、右のスタッカトレイ１１２ａの途中までに積載する情報である場合、スタッカ制御部２１０は、シート引込みユニット１１５をスタッカトレイ１１２ｂの下流端側に待機させる。そして、延長ころ１２２ａをシートの長さに対応する位置に待機させる。延長ころ１２２ａは、右のスタッカトレイ１１２ａの中間の上に待機する。この場合、延長ころ１２２ａが排出ベルト１１４に接触している排出ベルト１１４の中間位置がシートの排出部になり、シートをユーザが所望するスタッカトレイ１１２ｂの全長とスタッカトレイ１１２ａの途中までに積載することができる。
【手続補正７】
【補正対象書類名】明細書
【補正対象項目名】００６３
【補正方法】変更
【補正の内容】
【００６３】
さらに、スタッカ制御部２１０は、スタッカトレイ１１２ａ，１１２ｂを、ホームポジション検出センサ１１３ａ，１１３ｂに検知させて、ホームポジションに待機させる。
【手続補正８】
【補正対象書類名】明細書
【補正対象項目名】００６４
【補正方法】変更
【補正の内容】
【００６４】
図１１に示すように、画像形成装置９００（図１）の装置本体９００Ａから送り出されたシートＳ１は、入口ローラ対１０１の搬送と、第１切替部材１０３の案内とによって、排出ベルト１１４に搬送される。排出ベルト１１４は、従動ローラ１１０、延長ころ１２２ａ，１２２ｂとでシートを挟んで回転し、入口ローラ対１０１と同じシート搬送速度でシート引込みユニット１１５に向けて搬送させる。
【手続補正書】
【提出日】平成22年11月17日(2010.11.17)
【手続補正１】
【補正対象書類名】特許請求の範囲
【補正対象項目名】全文
【補正方法】変更
【補正の内容】
【特許請求の範囲】
【請求項１】
可燃性ガス成分を含有する副生ガスの発生設備に設けられた、前記副生ガスを回収するための副生ガス回収設備と、前記副生ガスを貯蔵するためのガスホルダーと、を結ぶ搬送管の途中に、冷却装置及び集塵機を設置して、前記冷却装置で前記副生ガスを常温まで冷却するとともに、前記集塵機で副生ガス中のダストを除去することを特徴とする、副生ガスの回収方法。
【請求項２】
可燃性ガス成分を含有する副生ガスの発生設備に設けられた、前記副生ガスを回収するための副生ガス回収設備と、
前記副生ガスを貯蔵するためのガスホルダーと、
該ガスホルダーと前記副生ガス回収設備とを結ぶ搬送管と、
を備えた副生ガスの回収設備において、
前記搬送管には、前記副生ガスを常温まで冷却するための冷却装置と、前記副生ガス中のダストを除去するための集塵機と、が備えられていることを特徴とする副生ガスの回収設備。
【手続補正２】
【補正対象書類名】明細書
【補正対象項目名】発明の名称
【補正方法】変更
【補正の内容】
【発明の名称】副生ガスの回収方法及び回収設備
【手続補正３】
【補正対象書類名】明細書
【補正対象項目名】０００１
【補正方法】変更
【補正の内容】
【０００１】
本発明は、化学プラントや製鉄所の高炉、転炉、コークス炉などにて副次的に発生する、ＣＯガスや水素ガスなどの可燃性ガス成分を含有する副生ガスの回収方法及び回収設備に関するものである。
【手続補正４】
【補正対象書類名】明細書
【補正対象項目名】０００８
【補正方法】変更
【補正の内容】
【０００８】
本発明は上記事情に鑑みてなされたもので、その目的とするところは、化学プラントや製鉄所などで発生する副生ガスを燃料用ガスとしてガスホルダーに回収するに当たり、ガスホルダーのタンク本体やタンク本体までの配管などの設備の腐食を防止することのできる、副生ガスの回収方法及び回収設備を提供することである。
【手続補正５】
【補正対象書類名】明細書
【補正対象項目名】０００９
【補正方法】変更
【補正の内容】
【０００９】
上記課題を解決するための本発明に係る副生ガスの回収方法は、可燃性ガス成分を含有する副生ガスの発生設備に設けられた、前記副生ガスを回収するための副生ガス回収設備と、前記副生ガスを貯蔵するためのガスホルダーと、を結ぶ搬送管の途中に、冷却装置及び集塵機を設置して、前記冷却装置で前記副生ガスを常温まで冷却するとともに、前記集塵機で副生ガス中のダストを除去することを特徴とするものである。
また、本発明に係る副生ガスの回収設備は、可燃性ガス成分を含有する副生ガスの発生設備に設けられた、前記副生ガスを回収するための副生ガス回収設備と、前記副生ガスを貯蔵するためのガスホルダーと、該ガスホルダーと前記副生ガス回収設備とを結ぶ搬送管と、を備えた副生ガスの回収設備において、前記搬送管には、前記副生ガスを常温まで冷却するための冷却装置と、前記副生ガス中のダストを除去するための集塵機と、が備えられていることを特徴とするものである。
【手続補正書】
【提出日】平成22年11月17日(2010.11.17)
【手続補正１】
【補正対象書類名】明細書
【補正対象項目名】００２７
【補正方法】変更
【補正の内容】
【００２７】
（４）Ｙ．Ｉ（Yellow.Index）の測定
射出成形機で、厚さ２．５ｍｍのプレート状の成形品を作成し、日本電色工業社製の色差・濁度測定機  ＣＯＨ−３００Ａで、ＪＩＳ  Ｋ７１０５に準拠して測定した。
（５）ビカット軟化温度の測定
ＩＳＯ３０６に準拠して測定した。荷重は４９Ｎ。
【手続補正２】
【補正対象書類名】明細書
【補正対象項目名】００３６
【補正方法】変更
【補正の内容】
【００３６】
【表１】
2009126930.tif 000001
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
ソファルコンを有効成分として含有することを特徴とする口腔粘膜疾患の予防又は治療剤。
【請求項２】
口腔粘膜疾患が疼痛或いは接触痛を伴う口腔粘膜疾患である、請求項１に記載の予防又は治療剤。
【請求項３】
口腔粘膜疾患が食物の摂取障害や発語障害を伴う口腔粘膜疾患である、請求項１に記載の予防又は治療剤。
【請求項４】
経口用製剤である請求項１〜３のいずれか１項に記載の口腔粘膜疾患の予防又は治療剤。
【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
イソロイシン、ロイシンおよびバリンを有効成分とする、抗鬱・抗ストレス剤。
【請求項２】
イソロイシン、ロイシンおよびバリンを有効成分とする、抗骨粗鬆症剤。
【手続補正２】
【補正対象書類名】明細書
【補正対象項目名】０００４
【補正方法】変更
【補正の内容】
【０００４】
請求項１に記載の発明は、イソロイシン、ロイシンおよびバリンを有効成分とする、抗鬱・抗ストレス剤である。
請求項２に記載の発明は、イソロイシン、ロイシンおよびバリンを有効成分とする、抗骨粗鬆症剤である。
【手続補正書】
【提出日】平成23年9月2日(2011.9.2)
【手続補正１】
【補正対象書類名】特許請求の範囲
【補正対象項目名】全文
【補正方法】変更
【補正の内容】
【特許請求の範囲】
【請求項１】
以下の一般式
ＣＦ３ＣＨ（２−ｎ）ＸｎＣＨ（３−ｍ）Ｘｍ
（式中、ｎ＝０、１または２、ｍ＝０、１、２または３、かつｎ＋ｍ≦３を満たし、ＸはＦ、ＣｌおよびＢｒから独立して選択される）で表わされる含フッ素ハロゲン化プロパンからの脱ハロゲン化水素反応によって含フッ素オレフィンを生成させる反応工程において、フッ素含有量が３０重量％以上の酸化フッ化クロムを触媒として使用することを特徴とする、含フッ素オレフィンの製造方法。
【請求項２】
前記酸化フッ化クロム触媒のフッ素含有量が３０〜４５重量％である、請求項１に記載の含フッ素オレフィンの製造方法。
【請求項３】
含フッ素ハロゲン化プロパンが１，１，１，２，３，３−ヘキサフルオロプロパンであり、脱ハロゲン化水素反応により含フッ素オレフィンとして１，１，１，２，３−ペンタフルオロプロペンを生じる、請求項１または２に記載の含フッ素オレフィンの製造方法。
【請求項４】
含フッ素ハロゲン化プロパンが１，１，１，２，２−ペンタフルオロプロパンであり、脱ハロゲン化水素反応により含フッ素オレフィンとして１，１，１，２−テトラフルオロプロペンを生じる、請求項１または２に記載の含フッ素オレフィンの製造方法。
【手続補正２】
【補正対象書類名】明細書
【補正対象項目名】０００８
【補正方法】変更
【補正の内容】
【０００８】
本発明の１つの要旨によれば、以下の一般式
ＣＦ３ＣＨ（２−ｎ）ＸｎＣＨ（３−ｍ）Ｘｍ  ・・・（Ｉ）
（式中、ｎ＝０、１または２、ｍ＝０、１、２または３、かつｎ＋ｍ≦３を満たし、ＸはＦ、ＣｌおよびＢｒから独立して選択される）で表わされる含フッ素ハロゲン化プロパンからの脱ハロゲン化水素反応によって含フッ素オレフィンを生成させる反応工程において、フッ素含有量が３０重量％以上の酸化フッ化クロムを触媒として使用することを特徴とする、含フッ素オレフィンの製造方法が提供される。
【手続補正書】
【提出日】平成22年11月17日(2010.11.17)
【手続補正１】
【補正対象書類名】特許請求の範囲
【補正対象項目名】全文
【補正方法】変更
【補正の内容】
【特許請求の範囲】
【請求項１】
脱脂後の紅花の種子を水で洗浄し、得られた洗浄処理物を有機溶媒で抽出して得られた紅花種子抽出物を有効成分とする、抗鬱・抗ストレス剤。
【手続補正２】
【補正対象書類名】明細書
【補正対象項目名】０００４
【補正方法】変更
【補正の内容】
【０００４】
請求項１に記載の発明は、脱脂後の紅花の種子を水で洗浄し、得られた洗浄処理物を有機溶媒で抽出して得られた紅花種子抽出物を有効成分とする、抗鬱・抗ストレス剤である。